(57)【要約】【課題】簡単な構成により、防塵性や省スペース性を損なうことなく、施工作業性が向上された埋込み形照明器具を提供する。【解決手段】照明器具１は、天井面に埋め込まれるようにして取り付けられる照明器具本体１０と、照明器具本体１０の外側に取り付けられた端子台保持具２０と、端子台保持具２０に取り付けられ、電源線７が接続される電線接続部３１を有し、電源線７と照明器具本体１０とを電気的に接続する端子台３０と、を備える。端子台３０は、照明器具本体１０が天井面に取り付けられたときに電線接続部３１が斜め下方を向くように、照明器具本体１０に対して固定されている。【選択図】図１
2012181995.tif 000002
【特許請求の範囲】
【請求項１】
天井面に埋め込まれるようにして取り付けられる照明器具本体と、
前記照明器具本体の外側に取り付けられた端子台保持具と、
前記端子台保持具に取り付けられ、電源線が接続される電線接続部を有し、前記電源線と前記照明器具本体とを電気的に接続する端子台と、を備え、
前記端子台は、前記照明器具本体が天井面に取り付けられたときに前記電線接続部が斜め下方を向くように、前記照明器具本体に対して固定されている、
ことを特徴とする埋込み形照明器具。
【請求項２】
前記端子台は、前記照明器具本体が天井面に取り付けられたときに、前記照明器具本体の上方に重なるように配置されている、
ことを特徴とする請求項１に記載の埋込み形照明器具。
【請求項３】
前記端子台保持具は、前記照明器具本体が取り付けられる天井面に対して傾斜するように形成された傾斜面を有し、
前記端子台は、前記端子台保持具の前記傾斜面に固定されている、
ことを特徴とする請求項１又は２に記載の埋込み形照明器具。
【請求項４】
前記傾斜面は、前記照明器具本体が天井面に取り付けられたときに、斜め下方を向くように形成されている、
ことを特徴とする請求項３に記載の埋込み形照明器具。
【請求項５】
前記電線接続部は、前記照明器具本体が天井面に取り付けられたときに、鉛直下方に対して略３０°傾斜した方向を向くように配置されている、
ことを特徴とする請求項１乃至４の何れか１項に記載の埋込み形照明器具。
【発明の詳細な説明】
【技術分野】
【０００１】
本発明は、埋込み形照明器具に関する。
【背景技術】
【０００２】
埋込み形照明器具は、天井面がすっきりして見えることから、店舗照明などの用途に広く用いられており、その需要が増加している。これに伴い、埋込み形照明器具には、施工作業性の向上が求められている。
【０００３】
例えば、特許文献１〜３には、天井への取付作業や電源線との接続作業を容易とすることが意図された、種々の埋込み形照明器具が開示されている。
【先行技術文献】
【特許文献】
【０００４】
【特許文献１】特開２００１−４３７２４号公報
【特許文献２】特開２００９−２３０９１７号公報
【特許文献３】特開平９−６３３４５号公報
【発明の概要】
【発明が解決しようとする課題】
【０００５】
埋込み形照明器具のうち、特にランプが縦向きに取り付けられる縦長型の埋込み形照明器具は、特許文献１及び２の照明器具のように、筒状の照明器具本体の外側に端子台保持具が取り付けられ、この端子台保持具に端子台が取り付けられているものが、一般的である。
【０００６】
特許文献１の照明器具は、端子台保持具を回動させて天井の裏面に当接させることにより天井に取り付けられるため、ヒンジ機構に加え、天井に埋め込まれた端子台保持具を室内で回動操作するための機構を設ける必要があり、全体的に構造が複雑である。
【０００７】
特許文献２の照明器具は、端子台の電線接続部が斜め上方に向けられているため、電線接続部に塵埃が溜まりやすく、防塵性が悪い。なお、防塵性を考慮し、端子台の電線接続部が鉛直下方に向けられた照明器具が知られている。しかし、このような照明器具のうち、特に省スペース性が要求される照明器具は、多くの場合、端子台と照明器具本体との間隔が狭く、かつ端子台の鉛直下方に照明器具本体が位置しているため、電源線の接続が非常に困難であり、施工作業性が悪い。
【０００８】
一方、特許文献３の照明器具は、端子台保持具を備えておらず、照明器具本体の内側に端子台が取り付けられているため、照明器具本体に開口部を設けて端子台の電線接続部を外側に露出させる必要があり、照明器具本体の構造が複雑である。
【０００９】
上記課題に鑑み、本発明は、簡単な構成により、防塵性や省スペース性を損なうことなく、施工作業性が向上された埋込み形照明器具を提供することを目的とする。
【課題を解決するための手段】
【００１０】
上記目的を達成するため、本発明に係る埋込み形照明器具は、
天井面に埋め込まれるようにして取り付けられる照明器具本体と、
前記照明器具本体の外側に取り付けられた端子台保持具と、
前記端子台保持具に取り付けられ、電源線が接続される電線接続部を有し、前記電源線と前記照明器具本体とを電気的に接続する端子台と、を備え、
前記端子台は、前記照明器具本体が天井面に取り付けられたときに前記電線接続部が斜め下方を向くように、前記照明器具本体に対して固定されている、
ことを特徴とする。
【発明の効果】
【００１１】
本発明によれば、簡単な構成により、防塵性や省スペース性を損なうことなく、施工作業性が向上された埋込み形照明器具を提供することができる。
【図面の簡単な説明】
【００１２】
【図１】本発明の実施形態に係る埋込み形照明器具を示す正面図。
【図２】端子台の電線接続部が鉛直下方に向けられた埋込み形照明器具を示す概略図。
【図３】図１に示された埋込み形照明器具の変形例を示す正面図。
【発明を実施するための形態】
【００１３】
以下、図１を参照して、本発明の実施形態に係る埋込み形照明器具１について説明する。理解を容易とするため、照明器具１について定義された軸線５は、鉛直方向（上下方向）に配置されているものとする。
【００１４】
照明器具１は、ランプ１５が縦向きに取り付けられる縦長型の埋め込み形照明器具であって、照明器具本体１０と、照明器具本体１０の上面に取り付けられた端子台保持具２０と、端子台保持具２０に取り付けられ、ランプ１５に電力を供給するための電源線７が接続される端子台３０と、を備える。
【００１５】
照明器具本体１０は、主に、ハウジング１１と、枠１２と、反射板１３と、ソケット１４と、から構成されている。
【００１６】
ハウジング１１は、軸線５を中心とする円柱状又は角柱状の側面と、平坦な上面と、を有する有底筒状に形成されており、下端部において開口している。ハウジング１１は、例えば溶融亜鉛めっき鋼板等の金属板をプレス加工して形成される。
【００１７】
枠１２は、環状のフランジ面１２ａを有する円盤状に形成されており、フランジ面１２ａが軸線５に垂直になるように、ハウジング１１の下端部に固定されている。枠１２は、例えばアルミニウム合金板等の金属板で形成される。
【００１８】
反射板１３は、下端部において開口するカップ形状を有し、ランプ１５の上方を覆うように、ハウジング１１の内部に固定されている。反射板１３は、例えばアルミニウム合金板等の金属板で形成され、ランプ１５の光を下方に反射するように、内面が鏡面加工されている。また、反射板１３の上端部には、ランプ１５の口金が挿通されるように、開口部が形成されている。
【００１９】
ソケット１４は、ランプ１５の口金を保持すると共に電源に接続するものであり、ランプ１５が軸線５に沿って鉛直方向に取り付けられるように、反射板１３の上方においてハウジング１１の内部に固定されている。
【００２０】
ランプ１５は、図１に示されるのはハロゲンランプであるが、これに限られず、例えば、ＦＨＴやＦＨＰ等の蛍光ランプ、あるいはＬＥＤ（発光ダイオード）ランプなどであってもよい。
【００２１】
なお、照明器具１を天井に形成された埋込穴に取り付けるために、ハウジング１１には、図略の係止ばね等の係止金具が設けられている。
【００２２】
端子台保持具２０は、概ね均一な厚みを有する板状に形成されており、ハウジング１１の上面にねじ止めによって固定され、ハウジング１１の上方に延びると共に、斜め下方を向いた傾斜面２０ａを成すように、折れ曲がっている。なお、傾斜面２０ａは、照明器具１の軸線５が鉛直に配置されたとき、すなわち照明器具１が水平な天井面に取り付けられたときに、水平面に対して略３０°傾斜するように形成されている。端子台保持具３０は、例えば溶融亜鉛めっき鋼板等の金属板をプレス加工して形成される。
【００２３】
端子台３０は、端子台保持具２０の傾斜面２０ａに固定され、一部が照明器具本体１０の上方に重なるように配置されている。端子台３０は、電源線７が接続される電線接続部３１を有すると共に、図示は省略するが、照明器具本体１０のソケット１４から延びる電線が接続される追加の電線接続部を有し、電源線７と照明器具本体１０とを電気的に接続する。
【００２４】
電線接続部３１は、端子台保持具２０の傾斜面２０ａに固定される端子台３０の固定面３０ａに対して、略垂直な方向を向くように配置されている。従って、電線接続部３１は、照明器具１の軸線５が鉛直に配置されたとき、すなわち照明器具１が水平な天井面に取り付けられたときに、鉛直下方に対して略３０°傾斜した方向を向くことになる。さらに、電線接続部３１の向きを示す軸線３１ａは、照明器具本体１０と交差しないように配置されている。なお、本明細書では、電線接続部の向きとは、接続される電線が導入される向きと１８０°反対の向きを意味している。
【００２５】
また、端子台３０は、ねじなし端子台から構成されている。すなわち、電線接続部３１は、軸線３１ａに沿って端子台３０の外側に向けて開口した電線挿入口３１ｂを有し、電線挿入口３１ｂに挿入された電源線７を、ばねの押圧力によって導電金具に接続すると共に、容易に抜けないように保持することができる。
【００２６】
照明器具１のサイズは、軸線５からの横方向の最大寸法をＸ、枠１２のフランジ面１２ａからの縦方向の最大寸法をＹとすると、例えば、Ｘ＝６０ｍｍ、Ｙ＝１００ｍｍ程度とすることができる。
【００２７】
照明器具１の施工作業の手順は、概ね以下の通りである。
【００２８】
始めに、天井に円形の埋込穴を形成し、埋込穴から電源線７を引き出す。ここで、埋込穴は、その直径が、ハウジング１１の最大径よりも大きく、かつ枠１２のフランジ面１２ａの外径よりも小さいように、形成される。
【００２９】
次に、埋込穴から引き出された電源線７を、軸線３１ａに沿って端子台３０の電線挿入口３１ｂに挿入し、電線接続部３１に接続する。
【００３０】
最後に、照明器具本体１０を端子台３０及び電源線７と共に天井の埋込穴に埋め込み、枠１２のフランジ面１２ａを天井面に当接させた状態で、照明器具本体１０を図略の係止ばね等により固定する。
【００３１】
上記構成の照明器具１によれば、端子台３０の電線接続部３１が斜め下方を向いているため、電源線７を端子台３０の電源接続部３１に接続する際に、電源線７と照明器具本体１０との間隔が広く、作業を容易とすることができる。
【００３２】
また、照明器具１は、端子台３０の一部が照明器具本体１０の上方に重なるように配置され、照明器具１の横方向の寸法が抑制されているため、天井裏の限られたスペースに容易に収容できる。
【００３３】
また、照明器具１が天井に取り付けられると、照明器具本体１０の枠１２のフランジ面１２ａが天井に当接し、照明器具１の軸線５が鉛直となるため、端子台３０の電線接続部３１は斜め下方を向くことになる。従って、容易に理解できるように、端子台３０の電源接続部３１に塵埃が溜まることが防止される。
【００３４】
さらに、斜め下方を向いた端子台保持具２０の傾斜面２０ａに端子台３０が取り付けられることにより、端子台３０の上方が端子台保持具２０によって覆われていることも、端子台３０の電源接続部３１の防塵性の向上に貢献する。
【００３５】
なお、端子台３０の電線接続部３１を鉛直下方に対して略３０°傾斜した方向に向けることにより、端子台３０の電線接続部３１の防塵性を十分に確保しつつ、かつ電源線７を接続する際の作業性を向上することが、好適に実現されている。
【００３６】
また、端子台３０は、ヒンジ機構のような可動部を設けることなく、照明器具本体１０に対して固定されているため、構成が簡単であり、製造コストを抑制することができる。
【００３７】
また、端子台３０が端子台金具２０の傾斜面２０ａに取り付けられることによって、端子台３０の電線接続部３１が斜め下方に向けられるため、既存の端子台３０をそのまま採用することができ、製造コストを抑制することができる。
【００３８】
また、端子台金具２０は、種々の既存の照明器具に取り付けることができ、汎用性が高いため、製造コストを抑制することができる。
【００３９】
以上説明したように、照明器具１によれば、簡単な構成により、防塵性や省スペース性を損なうことなく、施工作業性が向上された埋込み形照明器具を提供することができる。
【００４０】
比較例として、図２に示された照明器具２は、端子台保持具２２０の形状、及び端子台保持具２２０に取り付けられた端子台３０の姿勢において、図１に示された照明器具１と相違する。端子台保持具２２０は、水平面２２０ａを有し、端子台３０は、端子台保持具２２０の水平面２２０ａに取り付けられている。そして、照明器具２の軸線５からの横方向の最大寸法Ｘ、及びフランジ面１２ａからの縦方向の最大寸法Ｙは照明器具１と同じであるが、端子台３０の電線接続部３１は、照明器具１とは異なり、鉛直下方に向けて配置されている。このため、照明器具２では、端子台３０の電線接続部３１に接続される電源線７と照明器具本体１０との距離が照明器具１の場合よりも狭く、電源線７の接続が困難であることが理解される。
【００４１】
（変形例）
なお、本発明は上記の実施形態に限定されず、種々の変形及び応用が可能である。
【００４２】
例えば、端子台保持具３１及び端子台３０の形状及び構造は、端子台３０の電線接続部３１を斜め下方に向けることで電源線７の接続を容易とすることができるならば、照明器具本体１０の形状及び目的とする電線接続部３１の向き等の設計条件に応じて、適宜変更することができる。例えば、図３に示す照明器具３のように、端子台３３０の電線接続部３３１が鉛直下方に対して略３０°傾斜した方向を向くことが設計条件である場合において、端子台３３０の電線接続部３３１が端子台３３０の固定面３３０ａに対して略６０°傾斜した方向を向いているならば、端子台３３０は、端子台保持具３２０に形成された水平面３２０ａに取り付けられてもよい。
【００４３】
さらに、電線接続部３１，３３１は、必ずしも鉛直下方に対して略３０°傾斜した方向を向いている必要はなく、斜め下方を向いているならば、種々の設計条件に応じて適宜変更することができる。例えば、電線接続部３１，３３１の向きは、防塵性が重視される場合には、鉛直下方に対して２５°、２０°、さらには１５°傾斜した方向としてもよいし、作業性が重視される場合には、鉛直下方に対して３５°、４０°、さらには４５°傾斜した方向としてもよい。このように、電線接続部３１，３３１の向きは、防塵性と省スペース性とのバランスを考慮して、さらには照明器具本体１０の形状等に応じて、適宜変更することができる。
【００４４】
また、端子台３０はねじなし端子台であったが、斜め下方を向いた電線接続部３１に電源線７を容易に導入することができるならば、例えばねじ締め端子台等であってもよい。
【００４５】
その他、上述の照明器具の種類、各構成の材質、形状、構造、配置等は、一例に過ぎず、任意に変更することができる。
【００４６】
上記の実施形態及び変形例の一部または全部は、以下の付記のようにも記載されうるが、以下には限られない。
【００４７】
（付記１）
天井面に埋め込まれるようにして取り付けられる照明器具本体と、
前記照明器具本体の外側に取り付けられた端子台保持具と、
前記端子台保持具に取り付けられ、電源線が接続される電線接続部を有し、前記電源線と前記照明器具本体とを電気的に接続する端子台と、を備え、
前記端子台は、前記照明器具本体が天井面に取り付けられたときに前記電線接続部が斜め下方を向くように、前記照明器具本体に対して固定されている、
ことを特徴とする埋込み形照明器具。
【００４８】
（付記２）
前記端子台は、前記照明器具本体が天井面に取り付けられたときに、前記照明器具本体の上方に重なるように配置されている、
ことを特徴とする付記１に記載の埋込み形照明器具。
【００４９】
（付記３）
前記端子台保持具は、前記照明器具本体が取り付けられる天井面に対して傾斜するように形成された傾斜面を有し、
前記端子台は、前記端子台保持具の前記傾斜面に固定されている、
ことを特徴とする付記１又は２に記載の埋込み形照明器具。
【００５０】
（付記４）
前記傾斜面は、前記照明器具本体が天井面に取り付けられたときに、斜め下方を向くように形成されている、
ことを特徴とする付記３に記載の埋込み形照明器具。
【００５１】
（付記５）
前記電線接続部は、前記照明器具本体が天井面に取り付けられたときに、鉛直下方に対して略３０°傾斜した方向を向くように配置されている、
ことを特徴とする付記１乃至４の何れかに記載の埋込み形照明器具。
【符号の説明】
【００５２】
１，２，３  照明器具
５  軸線
７  電源線
１０  照明器具本体
１１  ハウジング
１２  枠
１２ａ  フランジ面
１３  反射板
１４  ソケット
１５  ランプ
２０  端子台保持具
２０ａ  傾斜面
３０  端子台
３０ａ  固定面
３１  電線接続部
３１ａ  電線挿入口
３１ｂ  軸線
２２０  端子台保持具
２２０ａ  水平面
３２０  端子台保持具
３２０ａ  水平面
３３０  端子台
３３１  電線接続部
３３１ａ  電線挿入口
３３１ｂ  軸線
Ｘ  軸線５からの横方向最大寸法
Ｙ  フランジ面１２ａからの縦方向最大寸法
【図１】
2012181995.tif 000003
【図２】
2012181995.tif 000004
【図３】
2012181995.tif 000005